(57)【特許請求の範囲】
【請求項１】
光信号に変換されたパルス信号を光伝送路を介して受信し、復調するパルス信号復調装置であって、
受信した前記光信号を電気信号に変換し、受信信号として出力する光電気変換部と、
前記パルス信号が光信号に変換され、前記光電気変換部によって受信信号に変換されるまでに生じる歪みが反映した前記パルス信号の波形の形状に関する情報を受信波形情報として出力する受信波形情報算出部と、
前記受信波形情報算出部から出力された前記受信波形情報と、前記受信信号に同期した同期信号とに基づいて、前記受信信号に生じている歪みに類似した歪みが反映された波形を有し、かつ前記受信信号に同期したテンプレート信号を生成するテンプレート信号発生部と、
前記光電気変換部から出力された前記受信信号と、前記テンプレート信号発生部によって生成された前記テンプレート信号との波形の相関を求めることによって、前記パルス信号を復調する相関部とを備え、
前記受信波形情報算出部は、前記パルス信号に生じる歪みのうち、当該パルス信号のスペクトルのピーク周波数の整数倍に相当する周波数成分と、当該ピーク周波数成分の振幅および位相を受信波形情報として出力し、
前記テンプレート信号発生部は、
前記ピーク周波数を有する正弦波信号と、当該ピーク周波数の整数倍の周波数を有する正弦波信号とを生成する複数の正弦波発生部と、
前記複数の正弦波発生部によって生成された前記正弦波信号の振幅および位相を、前記受信波形情報に基づいてそれぞれ調整する複数の振幅位相調整部と、
前記複数の振幅位相調整部によって振幅および位相が調整された正弦波信号を合波する合波部とを含む、パルス信号復調装置。
【請求項２】
前記テンプレート信号発生部は、さらに、受信すべきパルスのタイミングを示すホッピングパターンに基づいて、前記合波部によって合波された信号を通過させ、前記テンプレート信号を発生させるマスク部を含む、請求項１に記載のパルス信号復調装置。
【請求項３】
前記パルス信号は、ＲＺ信号であり、
前記テンプレート信号発生部は、
前記合波部によって合波された正弦波信号の最小値が“０”となるようにバイアスを加算し、テンプレート信号として出力するバイアス部をさらに含む、請求項１に記載のパルス信号復調装置。
【請求項４】
前記受信波形情報算出部は、前記パルス信号の送信時の波形と、前記光伝送路の情報とに基づいて前記受信波形情報を生成し、
前記光伝送路の情報は、前記光信号を送出する送信器に用いられる半導体レーザまたは光変調器のチャープパラメータと、前記光信号の波長における前記光伝送路の総分散量とを含み、
前記受信波形情報算出部は、前記パルス信号の送信時の波形とチャープパラメータとに基づいて送信光スペクトルを算出し、当該送信光スペクトルと前記光伝送路の総分散量とに基づいて受信光スペクトルを算出し、当該受信光スペクトルに基づいて電気信号に変換された受信信号スペクトルを算出し、当該受信信号スペクトルに関する情報を受信波形情報として出力することを特徴とする、請求項１に記載のパルス信号復調装置。
【請求項５】
前記受信波形情報算出部は、前記パルス信号の送信時の波形と、前記光伝送路の情報とに基づいて前記受信波形情報を生成し、
さらに、前記パルス信号の送信時の波形と、前記光伝送路の情報とを記憶する記憶部を備える、請求項１に記載のパルス信号復調装置。
【請求項６】
さらに、前記パルス信号の送信時の波形および前記光伝送路の情報を入力する入力部を備え、
前記記憶部は、前記入力部から入力された前記パルス信号の送信時の波形および前記光伝送路の情報を記憶する、請求項５に記載のパルス信号復調装置。
【発明の詳細な説明】
【技術分野】
【０００１】
本発明は、パルス信号を伝送するシステムに用いられ、受信したパルス信号を復調する復調装置に関し、より特定的には、パルス信号を光信号に変換して伝送するシステムに用いられる復調装置に関する。
【背景技術】
【０００２】
近年、短パルス信号を用いて超広帯域の通信を行うウルトラワイドバンド（ＵＷＢ）方式が注目されている。本方式は、幅が短いパルスを用いてスペクトルを拡散することにより、単位周波数あたりの送信電力を抑え、他の信号との共存を可能にする。ＵＷＢ方式に関する研究開発は、主に、近距離での無線伝送の分野で盛んに進められているが、一部では、有線または光伝送の分野でも検討が開始されている。
【０００３】
特許文献１には、ＵＷＢ方式で用いられる短パルス信号を復調する復調装置が記載されている。図１４は、特許文献１に記載されている従来の復調装置の構成を示す図であり、図１５は、図１４に示す復調装置の主要部から出力される信号の波形を示す図である。なお、図１４に示す（ａ）〜（ｃ）および（ｅ）は、それぞれ図１５（ａ）〜（ｃ）および（ｅ）に示す信号が、矢印の方向に出力されることを示す。
【０００４】
図１４に示す復調装置３００は、図示しない送信装置と無線で接続され、送信装置から送信されてくる無線信号を復調する。復調装置３００は、相関部３２０と、テンプレート信号発生部３４０と、同期部３５０とを含む。
【０００５】
復調装置３００は、受信した無線信号を受信信号として相関部３２０に入力する。図１５（ａ）は、相関部３２０に入力される受信信号（短パルス信号）の波形を示す図である。
【０００６】
テンプレート信号発生部３４０は、後述する同期部３５０から出力される同期信号と、ホッピングパターンとに基づいて、テンプレート信号を発生し、相関部３２０に出力する。ホッピングパターンは、例えば、図１５（ｂ）に示すようなパターンであって、受信すべきパルスが存在するタイミングを示す。
【０００７】
図１５（ｃ）は、テンプレート信号発生部３４０から出力されるテンプレート信号の波形を示す図である。テンプレート信号は、受信信号に類似した波形を有し、かつ受信信号に同期した信号である。
【０００８】
相関部３２０は、受信信号の波形とテンプレート信号の波形との相関値を求めることによって受信信号を復調し、受信データとして出力する。図１５（ｄ）は、相関部３２０が求めた相関値を示す図であり、図１５（ｅ）は、相関部３２０から出力される受信データを示す図である。
【０００９】
相関部３２０は、求めた相関値が正の閾値（例えば０．５）以上の場合、データ“１”と識別する。一方、相関部３２０は、求めた相関値が負の閾値（例えば−０．５）以下の場合、データ“０”と識別する。また、相関部３２０は、求めた相関値が正の閾値以上でも負の閾値以下でもない場合、パルスなしと識別する。例えば、受信信号の波形とテンプレート信号の波形とが完全に一致する場合、相関部３２０が求める相関値は＋１となる。一方、受信信号の波形とテンプレート信号の波形とが完全に逆相の場合、相関部３２０が求める相関値は−１となる。
【００１０】
同期部３５０は、受信信号に同期する同期信号をテンプレート信号発生部３４０に出力する。また、同期部３５０は、データ“１”の場合の相関値が最大となるように、同期信号の位相を調整する。
【００１１】
なお、通常は、スペクトルを効果的に拡散させるために、擬似的なランダムパターンに基づいてビット周期内のパルス位置をビット毎に変化させる時間ホッピングが行われるが、図１５では、説明の簡単のため、ビット周期内のパルス位置は一定であるものとして示している。
【００１２】
以上のように、復調装置は、受信信号とテンプレート信号との相関値を求めることによって、無線を介して受信する短パルス信号を復調することができる。
【特許文献１】特表平１１−５０４４８０号公報
【発明の開示】
【発明が解決しようとする課題】
【００１３】
従来の復調装置において生成されるテンプレート信号は、送信装置から送信される信号と同じ波形を有する。しかしながら、信号を伝送する際に、伝送路において信号の波形に歪みが発生すると、受信信号を正確に復調することができない。例えば、データ“１”と復調されるべき信号は、テンプレート信号の波形と完全に一致するはずであるが、受信信号の波形に歪みが発生すると、テンプレート信号との間で求める相関値の絶対値が低下してしまう。
【００１４】
その結果、相関部によって求められる相関値の絶対値が低下するため、復調したデータにおける誤り率が増大してしまう。このように、従来の復調装置は、波形歪みが発生した短パルス信号を正確に復調することができない。また、波形歪みが発生した信号を正確に復調できないという問題は、短パルス信号を復調する場合に限られず、例えばＲＺ信号のような他のパルス信号を復調する場合にも生じ得る。
【００１５】
したがって、例えば、送信すべきパルス信号を光信号に変換して伝送する場合、光伝送路には、光伝送路に特有の波形劣化要因が存在することを考慮してパルス信号を復調しなければならない。しかしながら、従来の復調装置が生成するテンプレート信号は、光信号に生じる波形歪みが考慮されたものではないため、従来の復調装置を光伝送システムに適用した場合、パルス信号を正確に復調することができない。
【００１６】
それゆえに、本発明の目的は、パルス信号を光信号に変換して伝送する光伝送システムにおいて、パルス信号を正確に復調することができるパルス信号復調装置を提供することである。
【課題を解決するための手段】
【００１７】
本発明は、光信号に変換されたパルス信号を光伝送路を介して受信し、復調するパルス信号復調装置であって、受信した光信号を電気信号に変換し、受信信号として出力する光電気変換部と、パルス信号が光信号に変換され、光電気変換部によって受信信号に変換されるまでに生じる歪みが反映したパルス信号の波形の形状に関する情報を受信波形情報として出力する受信波形情報算出部と、受信波形情報算出部から出力された受信波形情報と、受信信号に同期した同期信号とに基づいて、受信信号に生じている歪みに類似した歪みが反映された波形を有し、かつ受信信号に同期したテンプレート信号を生成するテンプレート信号発生部と、光電気変換部から出力された受信信号と、テンプレート信号発生部によって生成されたテンプレート信号との波形の相関を求めることによって、パルス信号を復調する相関部とを備える。
【００１８】
これにより、パルス信号を光伝送する際に、光信号に波形歪みが生じても、受信信号に生じる歪みに類似した歪みが反映された波形を有するテンプレート信号を生成することができる。これにより、受信信号とテンプレート信号とに基づいて相関値を求める場合に、相関値の絶対値が低下することがない。したがって、パルス信号を正確に復調することができる。
【００１９】
好ましくは、受信波形情報算出部は、光信号の送信時の波形と、光伝送路の情報とに基づいて受信波形情報を生成するとよい。
【００２０】
これにより、光信号の送信時の波形に基づいて、光伝送路において光信号に発生してしまう歪み等を反映させたテンプレート信号を生成することができる。したがって、光信号の波形や光伝送路の特性に応じたテンプレート信号を生成することができる。
【００２１】
パルス信号は、ビットレートをヘルツに読み替えた場合の周波数帯域よりも大きい幅の周波数帯域を占有する短パルス信号であってもよい。
【００２２】
一例として、受信波形情報算出部は、パルス信号に生じる歪みのうち、当該パルス信号のスペクトルのピーク周波数の整数倍に相当する周波数成分と、当該ピーク周波数成分の振幅および位相を受信波形情報として出力し、テンプレート信号発生部は、ピーク周波数を有する正弦波信号と、当該ピーク周波数の整数倍の周波数を有する正弦波信号とを生成する複数の正弦波発生部と、複数の正弦波発生部によって生成された正弦波信号の振幅および位相を、受信波形情報に基づいてそれぞれ調整する複数の振幅位相調整部と、複数の振幅位相調整部によって振幅および位相が調整された正弦波信号を合波する合波部とを含む。
【００２３】
これにより、受信信号に生じた高調波歪みを反映させたテンプレート信号を生成することが出いる。したがって、相関値の絶対値を低下させることなく、パルス信号を正確に復調することができる。また、信号のピーク周波数成分と、その整数倍の周波数成分に基づいてテンプレート信号を生成するため、例えば、任意波形発生器を用いてテンプレート信号を生成する場合に比べ、低速な部品でテンプレート信号発生部を構成することができる。したがって、パルス信号復調装置を安価に構築することができる。
【００２４】
また、テンプレート信号発生部は、さらに、受信すべきパルスのタイミングを示すホッピングパターンに基づいて、合波部によって合波された信号を通過させ、テンプレート信号を発生させるマスク部を含んでいてもよい。
【００２５】
これにより、多重伝送されてきた信号を復調することができる。
【００２６】
また、パルス信号は、ＲＺ信号であってもよい。
【００２７】
一例として、受信波形情報算出部は、パルス信号に生じる歪みのうち、当該パルス信号のスペクトルのピーク周波数の整数倍に相当する周波数成分と、当該ピーク周波数成分の振幅および位相を受信波形情報として出力し、テンプレート信号発生部は、ピーク周波数を有する正弦波信号と、当該ピーク周波数の整数倍の周波数を有する正弦波信号とを生成する複数の正弦波発生部と、複数の正弦波発生部によって生成された正弦波信号の振幅および位相を、受信波形情報に基づいてそれぞれ調整する複数の振幅位相調整部と、複数の振幅位相調整部から出力された正弦波信号を合波する合波部と、合波部によって合波された正弦波信号の最小値が“０”となるようにバイアスを加算し、テンプレート信号として出力するバイアス部とを含む。
【００２８】
これにより、受信信号に生じた高調波歪みを反映させたテンプレート信号を生成することができる。したがって、相関値の絶対値を低下させることなく、パルス信号を正確に復調することができる。また、信号のピーク周波数成分と、その整数倍の周波数成分に基づいてテンプレート信号を生成するため、例えば、任意波形発生器を用いてテンプレート信号を生成する場合に比べ、低速な部品でテンプレート信号発生部を構成することができる。したがって、パルス信号復調装置を安価に構築することができる。
【００２９】
また、光伝送路の情報は、光信号を送出する送信器に用いられる半導体レーザまたは光変調器のチャープパラメータと、光信号の波長における光伝送路の総分散量とを含み、受信波形情報算出部は、光信号の送信時の波形とチャープパラメータとに基づいて送信光スペクトルを算出し、当該送信光スペクトルと光伝送路の総分散量とに基づいて受信光スペクトルを算出し、当該受信光スペクトルに基づいて電気信号に変換された受信信号スペクトルを算出し、受信波形情報として出力してもよい。
【００３０】
これにより、光信号におけるチャープの影響と、光伝送路における波長分散の影響とを反映させたテンプレート信号を生成することができる。したがって、光伝送路上で波長分散による波形歪が生じた場合においても、パルス信号を正確に復調することができる。
【００３１】
また、相関部は、求めた相関値を受信波形情報算出部に出力し、受信波形情報算出部は、光伝送路の情報を変動させて受信波形情報を生成し、相関部によって求められた相関値が最大となる時の値に光伝送路の情報を設定してもよい。
【００３２】
これにより、相関値が最大となる値に、光伝送路の情報を設定することができる。したがって、光伝送路の情報が不明である場合においても、光伝送路の情報を推定し、最適な値に設定することができる。
【００３３】
相関部は、受信信号とテンプレート信号とを乗算する乗算部と、乗算部によって乗算された信号を１ビット分の期間において積分する積分部と、積分部によって積分された信号を識別し、識別した値を出力する識別部とを含んでいてもよい。
【００３４】
これにより、高速ディジタル回路を用いることなく相関部を構成することができる。したがって、パルス信号復調装置を安価に構築することができる。
【００３５】
また、一例として、光信号に変換されたテスト用のパルス信号が送信され、受信波形情報算出部は、光電気変換部から出力されるテスト用のパルス信号の波形に基づいて、受信波形情報を生成する。
【００３６】
これにより、実際に受信した受信信号に基づいて、受信信号における歪みを反映させたテンプレート信号を生成することができる。したがって、波形情報を算出するための情報を予めメモリに格納しておく必要がない。また、例えば、複数の波形劣化要因によって信号の波形に歪みが生じる場合、受信波形情報を算出するために複雑な計算をする必要がない。
【００３７】
また、パルス信号の送信時の波形と、光伝送路の情報とを保持する記憶部を備えていてもよく、さらに、パルス信号の送信時の波形および光伝送路の情報を入力する入力部を備え、記憶部は、入力部から入力されたパルス信号の送信時の波形および光伝送路の情報を記憶することとしてもよい。
【００３８】
これにより、受信波形情報算出部が受信波形情報を算出するために用いるパルス信号の送信時の波形と、光伝送路の情報とを容易に変更することができる。したがって、伝送距離等の個々の条件の相違に対して柔軟に対応することができる。
【発明の効果】
【００３９】
本発明によれば、パルス信号を光信号に変換して伝送する光伝送システムにおいて、パルス信号を正確に復調することができるパルス信号復調装置が提供される。
【発明を実施するための最良の形態】
【００４０】
以下、本発明の実施の形態について、図面を参照しながら説明する。
【００４１】
（第１の実施形態）
図１は、本発明の第１の実施形態に係るパルス信号復調装置３０が適用される光伝送システムの構成を示すブロック図である。光伝送システムは、送信装置１０と、パルス信号復調装置３０とを含む。送信装置１０とパルス信号復調装置３０とは、光伝送路２０を介して接続される。
【００４２】
送信装置１０は、ウルトラワイドバンド（ＵＷＢ）通信方式に用いられる短パルス信号を光信号に変換し、光伝送路２０を介してパルス信号復調装置３０に送信する。ＵＷＢ通信方式に用いられる短パルス信号は、ビットレートをヘルツに読み替えた場合の周波数帯域よりも大きい幅の周波数帯域を占有する。パルス信号復調装置３０は、光伝送路２０を介して送信されてくる光信号を受信すると、当該光信号を電気信号に変換し、復調する。
【００４３】
図１において、送信装置１０は、送信パルス発生部１１と、電気光変換部１２とを含む。パルス信号復調装置３０は、光電気変換部３１と、相関部３２と、受信波形情報算出部３３と、テンプレート信号発生部３４とを含む。
【００４４】
送信パルス発生部１１は、パルス信号復調装置３０に送信すべき送信データを変調し、短パルス信号に変換し、送信信号として電気光変換部（Ｅ／Ｏ）１２に出力する。電気光変換部１２は、送信パルス発生部１１から出力される送信信号を光信号に変換し、光伝送路２０に送出する。電気光変換部１２によって変換された光信号は、光伝送路２０を伝送し、パルス信号復調装置３０の光電気変換部（Ｏ／Ｅ）３１に入力される。
【００４５】
光電気変換部３１は、光伝送路２０を介して送信装置１０から送信されてきた光信号を電気信号に変換し、受信信号として相関部３２に出力する。
【００４６】
受信波形情報算出部３３は、送信波形情報と光伝送路の仕様とに基づいて、受信信号に生じ得る歪みを反映させた送信信号の波形を算出し、算出した波形の形状に関する情報を、受信波形情報としてテンプレート信号発生部３４に出力する。送信波形情報は、送信パルス発生部１１から出力される送信信号におけるパルスの形状に関する情報である。送信波形情報は、例えば、パルス幅や振幅で表される。また、光伝送路の仕様は、光伝送路の特性を示す情報である。光伝送路の仕様は、例えば、送信装置１０とパルス信号復調装置３０とを接続する光伝送路２０の長さ、または、光伝送路２０の材質や構造等の性質を示す情報である。送信波形情報および光伝送路の仕様は、受信波形情報算出部３３に入力される。
【００４７】
送信信号が光信号に変換されて光伝送路２０を伝送し、パルス復調装置の光電気変換部３１によって受信信号に変換される間に、信号の波形に歪みが生じる。受信波形情報は、受信信号に生じる歪みを反映させた送信信号の波形の形状に関する情報である。受信波形情報は、例えば、パルス幅や振幅で表される。以下、光信号に生じる歪みの原因と、受信波形情報算出部３３が生成する受信波形情報とについて具体的に説明する。
【００４８】
送信装置１０の電気光変換部１２によって変換された光信号が、光伝送路２０を伝送する間に波長分散の影響を受けると、光信号の波形に歪みが発生する場合がある。波長分散とは、パルス信号が光伝送路中を伝搬する際に、パルス信号に含まれる異なる光周波数成分の遅延時間がばらつき、波形に広がりが生じてしまう現象をいう。この場合、パルス信号復調装置３０の光電気変換部３１から出力される受信信号の波形に歪みが生じてしまう。
【００４９】
また、光電気変換部３１に入力される光信号は、強度変調だけではなく、電気光変換部１２において、電気信号を光信号に変換するために用いられる半導体レーザまたは光変調器で生じる付加的な位相変調を受けている。光信号が受ける付加的な位相変調の大きさは、半導体レーザまたは光変調器のチャープパラメータによって決定される。チャープパラメータとは、半導体レーザや光変調器で生じる位相変調と強度変調の大きさの比率を示すパラメータである。付加的な位相変調を受けることによって、光信号のスペクトルが広がるため、前述した波長分散によって生じる受信信号波形の歪みがより顕著になる。
【００５０】
したがって、光信号に波長分散による歪みが発生する場合、受信波形情報算出部３３に入力される光伝送路の仕様は、光信号の波長における光伝送路２０の総分散量と、半導体レーザのチャープパラメータとを含む。なお、総分散量は、光信号の波長における光伝送路２０の波長分散と伝送距離の積から求められるため、光伝送路の仕様は、総分散量の変わりに、波長分散、および伝送距離に関する情報を含んでいてもよい。受信波形情報算出部３３は、入力された送信波形情報、波長分散および伝送距離の積で与えられる総分散量と、チャープパラメータとに基づいて、受信波形情報を生成する。なお、好ましくは、光伝送路の仕様は、さらに、半導体レーザのスロープ効率と、光電気変換部３１の変換効率とを含むとよい。これにより、求める受信波形情報の精度を向上させることができる。
【００５１】
図３は、受信波形情報の算出方法を具体的に説明するための図である。以下、図３を参照して、本実施形態に係る受信波形情報の算出方法について説明する。なお、図３では、送信波形情報６１が、送信信号（電気信号）の波形に関する情報を含み、光伝送路の仕様６２が、スロープ効率、チャープパラメータ、波長分散、伝送距離、光電気変換部３１の変換効率（Ｏ／Ｅ変換効率）とを含む場合を例に説明する。
【００５２】
まず、送信波形情報６１が示す送信信号の波形Ｉ（ｔ）およびスロープ効率の積から送信光強度波形６３を求める。また、このとき、送信信号の波形Ｉ（ｔ）と、チャープパラメータαとから、次に示す数式１によって送信光位相波形φ（ｔ）６４を算出する。
【００５３】
【数１】
0004654188.tif 000002
【００５４】
次に、送信光強度波形６３と送信光位相波形６４とから、送信光波形６５の実数成分および虚数成分を求める。そして、求めた送信光波形６５の実数成分および虚数成分に基づき、フーリエ変換によって送信光スペクトル６６を算出する。続いて、送信光スペクトル６６と、波長分散および伝送距離の積により求められる総分散量６７とに基づいて、各光周波数成分の遅延量を求め、受信光スペクトル６８を算出する。そして、逆フーリエ変換により受信光強度波形７０を求める。最後に、受信光強度波形７０および変換効率の積により求められる受信信号波形（電気）を、受信波形情報７１としてテンプレート信号発生部３４に出力する。
【００５５】
テンプレート信号発生部３４は、受信信号を復調するためのテンプレート信号を生成し、相関部３２に出力する。テンプレート信号発生部３４には、図示しないホッピングパターン生成部によって生成されたホッピングパターンと、図示しない同期信号生成部によって生成された同期信号とが入力される。ホッピングパターンは、受信すべきパルスの存在するタイミングを示すものであり、同期信号は、受信信号に同期する信号である。テンプレート信号発生部３４は、受信波形情報算出部３３から出力される受信波形情報と、ホッピングパターンと、同期信号とに基づいて、テンプレート信号を生成する。
【００５６】
まず、テンプレート信号発生部３４は、受信波形情報に基づいて信号を発生させる。このときに発生される信号は、受信信号に生じている歪みに類似した歪みが反映された波形を有する。そして、テンプレート信号発生部３４は、同期信号に基づいて、相関部３２に入力される受信信号に同期するように、生成した信号を相関部３２に出力する。このとき、テンプレート信号発生部３４は、ホッピングパターンが示すパターンに合致するように、生成した信号を出力する。例えば、テンプレート信号発生部３４は、ホッピングパターンが“１”である場合には信号を出力し、逆に、ホッピングパターンが“０”である場合には信号を出力しない。これにより、受信信号に生じている歪みに類似した歪みが反映された波形を有し、かつ受信信号に同期したテンプレート信号が相関部３２に入力される。
【００５７】
なお、本発明において、同期信号は、受信信号に同期する信号であればよく、この同期信号を生成するための手段は問わない。例えば、任意波形発生器を用いて同期信号を生成してもよい。
【００５８】
相関部３２は、光電気変換部３１から出力された受信信号と、テンプレート信号発生部から出力されたテンプレート信号との相関値を求めることによって、受信信号を復調し、受信データとして外部に出力する。まず、相関部３２は、受信信号波形Ａ（ｔ）と、テンプレート信号波形Ｂ（ｔ）とから、以下に示す数式２によって相関値Ｒを算出する。
【００５９】
【数２】
0004654188.tif 000003
【００６０】
なお、受信信号波形Ａ（ｔ）と、テンプレート信号波形Ｂ（ｔ）とは、以下に示す数式
３を満たすように規格化されているものとする。
【００６１】
【数３】
0004654188.tif 000004
【００６２】
相関部３２は、数式２から求めた相関値が正の所定値（例えば、０．５）以上である場合には“１”と識別し、数式２から求めた相関値が負の所定値（例えば、−０．５）以下であれば“０”と識別する。また、相関部３２は、数式２から求めた相関値が、正の所定値以上でもなく、負の所定値以下でもない場合、パルスなしと識別する。
【００６３】
図２は、相関部３２の詳細な構成の一例を示すブロック図である。図２において、相関部３２は、乗算部５１と、積分部５２と、識別部５３とを有する。
【００６４】
乗算部５１は、受信信号とテンプレート信号を乗算し、得られた乗算値を積分部５２に出力する。
【００６５】
積分部５２は、乗算部５１から出力された乗算値を１ビット分の期間（ビット周期）内において積分し、得られた積分値を識別部５３に出力する。積分部５２から出力される積分値は、数式２から求められる相関値に相当する。
【００６６】
識別部５３は、積分部５２から出力された相関値を識別し、当該相関値が正の所定値以上であるか、または負の所定値以上であるか否かを判断する。
【００６７】
なお、図２に示す相関部３２の構成は一例である。相関部３２の構成は、相関値を求めることができるものであればよく、上記の構成に限られない。例えば、相関部３２は、ディジタル数値演算によって、数式２の演算を行う構成であってもよい。
【００６８】
以上のように、本実施形態によれば、短パルス信号を光伝送する際に、波形に歪みが生じた場合においても、受信信号に生じる歪みに類似した歪みが反映された波形を有するテンプレート信号を生成することができる。これにより、受信信号とテンプレート信号とに基づいて相関値を求める場合に、相関値の絶対値が低下することがない。したがって、短パルス信号を正確に復調することができる。
【００６９】
なお、本実施形態において、光伝送路の仕様は、図示しない入力部を介して受信波形情報算出部に入力されていた。ここで、受信波形情報算出部は、光伝送路の仕様に関する情報を予め記憶していてもよい。また、受信波形情報算出部は、光伝送路をモニタすることによって、光伝送路の仕様を取得してもよい。例えば、送信装置１０からテスト用のパルス信号を送信し、パルス信号復調装置において、受信したテスト用のパルス信号の振幅や周波数成分が、送信時のパルス信号と比較してどのように変化しているかを検出することで光伝送路の仕様を算出することもできる。なお、光伝送路をモニタする方法はこれ以外の方法であってもよいが、本発明の本質には直接関連しないため、詳細な説明を省略する。
【００７０】
（第１の実施形態の変形例）
次に、第１の実施形態の変形例について説明する。本変形例に係るパルス信号復調装置は、光伝送路の仕様を算出する点で、光伝送路の仕様が予め設定されていた第１の実施形態に係るパルス信号復調装置と相違する。
【００７１】
図４は、本変形例に係るパルス信号復調装置３０ａが適用される光伝送システムの構成を示す図である。光伝送システムは、送信装置１０と、パルス信号復調装置３０ａとを含む。送信装置１０とパルス信号復調装置３０ａとは、光伝送路２０を介して接続される。
【００７２】
パルス信号復調装置３０ａは、光電気変換部３１と、相関部３２ａと、受信波形情報算出部３３ａと、テンプレート信号発生部３４とを含む。第１の実施形態に係るパルス信号復調装置３０と比較すると、本変形例に係るパルス信号復調装置３０ａは、受信波形情報算出部３３ａおよび相関部３２ａの動作が異なる。それ以外の構成要素は、第１の実施形態と同様であるため、図１と同様の構成要素には同一の符号を付し、説明を省略する。また、送信パルス発生部１１、電気光変換部１２の機能も第１の実施形態と同様であるため、説明を省略する。
【００７３】
相関部３２ａは、光電気変換部３１から出力された受信信号と、テンプレート信号発生部から出力されたテンプレート信号との相関値を求める。相関部３２ａは、求めた相関値を受信波形情報算出部３３ａに出力する。また、相関部３２ａは、復調した受信データを外部に出力する。
【００７４】
受信波形情報算出部３３ａは、テンプレート信号発生部３４に出力する受信波形情報を変化させ、相関部３２ａから出力される相関値が最大となるように、光伝送路の仕様を決定する。そして、受信波形情報算出部３３ａは、送信波形情報と、決定した光伝送路の仕様とに基づいて受信波形情報を生成し、テンプレート信号発生部３４に出力する。
【００７５】
光伝送路の仕様が最適な値に近づくにつれ、テンプレート信号発生部３４から出力されるテンプレート信号の波形が受信信号の波形に近づいていくため、相関部３２が求める相関値が大きくなっていく。したがって、たとえば、光信号に波長分散による歪みが発生する場合、チャープパラメータおよび総分散量の値を相関値が最大となるような値に設定すればよい。以下、光信号に波長分散による歪みが発生する場合を例に説明する。
【００７６】
図５は、図４に示す受信波形情報算出部３３ａの動作を示すフローチャートである。以下、図５を参照しながら、光伝送路の仕様がチャープパラメータおよび総分散量からなる場合を例に、光伝送路の仕様を推定する手順について説明する。
【００７７】
まず、受信波形情報算出部３３ａは、チャープパラメータの値がとり得る範囲において、チャープパラメータの設定値ｉをＮ個用意し、チャープパラメータをαi（ｉ＝０，１，・・・，Ｎ−１）とする。同様に、総分散量の値がとり得る範囲において設定値ｋをＭ個用意し、総分散量をＤk（ｋ＝０，１，・・・，Ｍ−１）とする。
【００７８】
そして、受信波形情報算出部３３ａは、チャープパラメータの設定値ｉ＝０とし、相関値ＲＸ＝０とする（ステップＳ１０１）。そして、受信波形情報算出部３３ａは、チャープパラメータの値をαiに設定する（ステップＳ１０２）。
【００７９】
受信波形情報算出部３３ａは、総分散量の設定値ｋ＝０、チャープパラメータαiにおける相関値ＲＲi＝０とする（ステップＳ１０３）。そして、受信波形情報算出部３３ａは、総分散量の値をＤkに設定し（ステップＳ１０４）、その時の相関値Ｒkを相関部３２ａに測定させる（ステップＳ１０５）。
【００８０】
そして、受信波形情報算出部３３ａは、相関部３２ａによって算出された相関値Ｒkがチャープパラメータの設定値ｉにおける相関値ＲＲiよりも大きいか否かを判断する（ステップＳ１０６）。相関値Ｒkがチャープパラメータの設定値ｉにおける相関値ＲＲiよりも大きい場合、受信波形情報算出部３３ａは、総分散量Ｄkにおける相関値Ｒkの値を、チャープパラメータの設定値ｉにおける相関値ＲＲiに代入する（ステップＳ１０７）。また、受信波形情報算出部３３ａは、このときのｋの値を設定値ａに代入し、設定値ａを記憶する。
【００８１】
一方、相関値Ｒkがチャープパラメータの設定値ｉにおける相関値ＲＲiよりも小さい場合、受信波形情報算出部３３ａは、総分散量の設定値ｋに１を加算し（ステップＳ１０８）、総分散量の設定値ｋが、総分散量の設定値の個数Ｍよりも小さいか否かを判断する（ステップＳ１０９）。総分散量の設定値ｋが、総分散量の設定値の個数Ｍよりも小さい場合、受信波形情報算出部３３ａは、ステップＳ１０４の動作に戻り、総分散量Ｄkにおける相関値Ｒkを相関部３２ａに測定させる。
【００８２】
一方、総分散量の設定値ｋが、総分散量の設定値の個数Ｍに等しい場合、受信波形情報算出部３３ａは、記憶した設定値ａにおける総分散量ＤaをＥiに代入し、記憶する。このように、受信波形情報算出部３３ａは、総分散量の値をＤ1〜ＤM-1と変化させ、その時の相関値Ｒ1〜ＲM-1を相関部３２ａに測定させる。そして、Ｄ0からＤM-1までの全ての値に対して相関値の測定が終了すると、この範囲における相関値の最大値ＲＲiを求め、その時の総分散量をＥiとして記憶する。
【００８３】
次に、受信波形情報算出部３３ａは、チャープパラメータの設定値ｉにおける相関値ＲＲiが相関値ＲＸよりも大きいか否かを判断する（ステップＳ１１１）。チャープパラメータの設定値ｉにおける相関値ＲＲiが相関値ＲＸよりも大きい場合、チャープパラメータの設定値ｉにおける相関値ＲＲiの値を相関値ＲＸに代入する（ステップＳ１１２）。また、受信波形情報算出部３３ａは、このときのｉの値を設定値ｂに代入し、設定値ｂを記憶する。そして、受信波形情報算出部３３ａは、ステップＳ１１３の動作に進む。
【００８４】
一方、ステップＳ１１１において、チャープパラメータの設定値ｉにおける相関値ＲＲiが相関値ＲＸよりも小さい場合、受信波形情報算出部３３ａは、ステップＳ１１３の動作に進む。
【００８５】
ステップＳ１１３において、受信波形情報算出部３３ａは、ｉの値に１を加算し、ｉの値がチャープパラメータの設定値の個数Ｎよりも小さいか否かを判断する（ステップＳ１１４）。ｉの値がチャープパラメータの設定値の個数Ｎよりも小さい場合、受信波形情報算出部３３ａは、ステップＳ１０２の動作に戻る。
【００８６】
一方、ｉの値がチャープパラメータの設定値の個数Ｎに等しい場合、受信波形情報算出部３３ａは、チャープパラメータをαbに、総分散量をＥbに設定する（ステップＳ１１５）。
【００８７】
以上のように、受信波形情報算出部３３ａは、チャープパラメータの設定値ｉ＝１〜Ｎ−１の全ての場合に対し、チャープパラメータをαiに設定して、ステップＳ１０２〜Ｓ
１１４の動作を繰り返し、それぞれの場合について相関値の最大値ＲＲｉとその時の総分
散量Ｅiとを求める。最後に、受信波形情報算出部３３ａは、ＲＲiの最大値ＲＲbと、これに対応するチャープパラメータαbおよび総分散量Ｅbを求める。そして、受信波形情報算出部３３ａは、計算に用いるチャープパラメータおよび総分散量をαbおよびＥbに設定し、光伝送路の仕様の推定を終了する。
【００８８】
なお、チャープパラメータおよび総分散量の目安となる概略値が分かっており、これらの概略値を微調整するだけでよい場合、チャープパラメータおよび総分散量の設定値の範囲を狭くすればよい。逆に、チャープパラメータおよび総分散量の値が全く分からない場合、チャープパラメータおよび総分散量の設定値の範囲を広くすればよい。また、チャープパラメータおよび総分散量のうち、一方の値が分かっている場合、既知である一方の値を固定し、他方の値を変化させることによって、値を推定すればよい。
【００８９】
なお、ここでは波長分散の影響について述べたが、他の波形劣化要因（半導体レーザや光変調器の入出力特性の非線形性など）が無視できない場合、適宜その影響を考慮し、受信波形を算出するとよい。
【００９０】
また、本変形例では、総分散量とチャープパラメータとに基づき、受信波形情報を算出する場合を例に説明した。ここで、スロープ効率と、光電気変換部の変換効率とが光伝送路の仕様に含まれる場合、これらの値は、目安となる概略値を事前に把握することが可能であるため、受信波形情報算出部に予め入力しておくとよい。
【００９１】
以上のように、本変形例によれば、光伝送路の仕様の仕様が不明である場合においても、相関値が最大となるように光伝送路の仕様を決定することができる。これにより、パルス信号復調装置が受信する光信号に歪みが発生している場合であっても、光信号と同様の歪みを発生させたテンプレート信号を生成することができる。したがって、相関値の絶対値を高く維持することができるため、パルス信号を正確に復調することができる。
【００９２】
（第２の実施形態）
図６は、本発明の第２の実施形態に係るパルス信号復調装置３０ｂが適用される光伝送システムの構成を示す図である。図６に示す光伝送システムは、送信装置１０と、パルス信号復調装置３０ｂとを含む。送信装置１０とパルス信号復調装置３０ｂとは、光伝送路２０を介して接続される。
【００９３】
図６において、本実施形態に係るパルス信号復調装置３０ｂは、図１に示す第１の実施形態に係るパルス信号復調装置３０と比較すると、さらに記憶部３５を備える点で相違する。図６において、図１と同様の構成要素には同一の符号を付し、説明を省略する。
【００９４】
記憶部３５は、送信波形情報と、光伝送路の仕様とを記憶する。受信波形情報算出部３３は、記憶部３５からこれらの情報を読み出し、受信波形情報を算出する。このように、本実施形態によれば、製造時に、送信波形情報および光伝送路の仕様を記憶部に予め記憶させておくことができる。
【００９５】
また、パルス信号復調装置は、さらに送信波形情報および光伝送路の仕様を入力するための入力部を備えていてもよい。図７は、本実施形態に係るパルス信号復調装置の他の構成例を示す図である。図７に示すパルス信号復調装置３０ｃは、図６に示すパルス信号復調装置３０ｂと比較すると、さらに入力部３６を備える点で相違する。図７において、図１と同様の構成要素には同一の符号を付し、説明を省略する。
【００９６】
入力部３６は、例えば、キーボードやタッチパネル等の入力装置であって、送信波形情報や光伝送路の仕様等の情報の入力を受け付ける。また、入力部３６は、ＵＳＢ（Ｕｎｉｖｅｒｓａｌ  Ｓｅｒｉａｌ  Ｂｕｓ）やＧＰＩＢ（Ｇｅｎｅｒａｌ  Ｐｕｒｐｏｓｅ  Ｉｎｔｅｒｆａｃｅ  Ｂｕｓ）等の、外部機器へ接続するためのインターフェースを用いてパルス信号復調装置へ情報を入力するための入力手段であってもよい。記憶部３５は、入力部３６から入力された情報を記憶する。これにより、記憶部３５が保持する送信波形情報や光伝送路の仕様などの情報を書き換えることが可能となる。
【００９７】
光伝送において、波長分散を補償する従来の方法としては、光伝送路と逆の波長分散特性を有する分散補償用光部品（分散補償光ファイバ等）を挿入する方法がある。しかしながら、一般的に、光部品の波長分散量は、固定的な値であることが多い。したがって、同方法を用いる場合、伝送距離等の設置条件が異なると、個別に分散補償用光部品の最適設計を行う必要がある。これに対し、図７の構成では、入力部３６を用いることにより、パルス信号復調装置３０ｃを設置する際に、個々の使用条件に応じた適切な送信波形情報および光伝送路の仕様を入力することができる。すなわち、入力する光伝送路の仕様を変更するだけで他の部分を変更する必要がなく、同一の構成で異なる設置条件に対応することができる。また、運転開始後に経年劣化等で光伝送路（半導体レーザ等）の特性が変動しても、適切な光伝送路の仕様を再度入力することができる。
【００９８】
以上のように、パルス信号復調装置が記憶部および入力部をさらに備えることにより、第１の実施形態と同様の効果を得ることができ、かつ個々の使用条件に応じた、より柔軟な運用が可能となる。
【００９９】
（第３の実施形態）
図８は、本発明の第３の実施形態に係るパルス信号復調装置３０ｄが適用される光伝送システムの構成を示す図である。図８に示す光伝送システムは、送信装置１０と、パルス信号復調装置３０ｄとを含む。送信装置１０とパルス信号復調装置３０ｄとは、光伝送路２０を介して接続される。
【０１００】
図８において、本実施形態に係るパルス信号復調装置３０ｄは、光電気変換部３１と、相関部３２と、受信波形情報算出部３３ｄと、テンプレート信号発生部３４ｄとを含む。本実施形態に係るパルス信号復調装置３０ｄが含むテンプレート信号発生部３４ｄは、第１の実施形態におけるテンプレート信号発生部３４の具体的構成例の一つである。図８において、図１と同様の構成要素には同一の符号を付し、説明を省略する。また、送信パルス発生部１１、電気光変換部１２の機能も第１の実施形態と同様であるため、説明を省略する。また、図８に示す（ａ）〜（ｈ）は、後述する図９（ａ）〜（ｈ）に示す信号が、矢印の方向に出力されることを示す。
【０１０１】
テンプレート信号発生部３４ｄは、複数の正弦波発生部４１１〜４１３と、複数の振幅位相設定部４２１〜４２３と、合波部４３と、マスク部４４とを有する。
【０１０２】
受信波形情報算出部３３ｄは、図示しない入力部から入力される光伝送路の仕様と送信波形情報とに基づいて受信波形情報を生成する。本実施形態において、受信波形情報算出部３３ｄが受信波形情報を算出する方法は、基本的には、第１の実施形態と同様であるが、受信波形情報算出部３３ｄが、算出した受信信号のスペクトルのピーク周波数成分、およびその整数倍の周波数成分のみを扱う点で、第１の実施形態と相違する。受信波形情報算出部３３ｄは、算出した受信信号のスペクトルのうち、受信信号スペクトルのピーク周波数ｆ1の成分と、その整数倍の周波数成分の振幅および位相とを、受信波形情報として第１〜第３の振幅位相設定部４２１〜４２３に出力する。
【０１０３】
図９は、図８に示す光伝送システムの主要部から出力される信号の波形をシミュレーションによって求めた例を示す図である。なお、計算条件は、光信号の波長が１．５５μｍ、電気光変換部１２のチャープパラメータが２．５であり、シングルモード光ファイバで４０ｋｍの距離を光伝送した場合を想定している。以下、図８および図９を参照しながら、各部の機能について説明する。
【０１０４】
図９（ａ）は、送信パルス発生部１１から出力される送信信号のパルスを示す図であり、図９（ｂ）は、光電気変換部３１から出力される受信信号の波形である。図９（ａ）に示す送信信号は、電気光変換部１２によって光信号に変換され、光伝送路２０を伝送する間に、図９（ｂ）に示すような歪みが生じる。
【０１０５】
図８に示す正弦波発生部４１１〜４１３は、それぞれピーク周波数ｆ1およびその整数倍の周波数の正弦波を発生し、第１〜第３の振幅位相設定部４２１〜４２３に出力する。ここで、正弦波発生部４１１〜４１３は、ピーク周波数ｆ1と、その２倍および３倍周波数とを発生させる場合を例に説明する。また、正弦波発生部４１１〜４１３が発生するそれぞれの正弦波は、同期信号に同期させる。第１の実施形態と同様に、同期信号は受信信号に同期していればよく、発生手段は問わない。
【０１０６】
図９（ｃ）は、第１の振幅位相設定部４２１が出力する信号の波形を示す図である。正弦波発生部４１１は、図９（ａ）に示す送信信号のピーク周波数ｆ1の正弦波を発生し、第１の振幅位相設定部４２１に出力する。第１の振幅位相設定部４２１は、受信波形情報算出部３３ｄから出力される受信波形情報に基づいて、正弦波発生部４１１から出力される周波数ｆ1の正弦波の振幅および位相を調整する。
【０１０７】
具体的には、第１の振幅位相設定部４２１は、受信波形情報算出部３３ｄから受信波形情報として出力される周波数ｆ1の振幅および位相の値に一致するように、正弦波発生部４１１から出力される周波数ｆ1の振幅および位相の値を設定する。
【０１０８】
図９（ｄ）は、第２の振幅位相設定部４２２が出力する信号の波形を示す図である。正弦波発生部４１２は、図９（ａ）に示す送信信号のピーク周波数ｆ1の２倍の周波数を有する正弦波を発生し、第２の振幅位相設定部４２２に出力する。第２の振幅位相設定部４２２は、受信波形情報算出部３３ｄから受信波形情報として出力される周波数２×ｆ1の振幅および位相の値に一致するように、正弦波発生部４１２から出力される周波数２×ｆ1の振幅および位相の値を設定する。
【０１０９】
図９（ｅ）は、第３の振幅位相設定部４２３が出力する信号の波形を示す図である。正弦波発生部４１３は、図９（ａ）に示す送信信号のピーク周波数ｆ1の３倍の周波数を有する正弦波を発生し、第３の振幅位相設定部４２３に出力する。第３の振幅位相設定部４２３は、受信波形情報算出部３３ｄから受信波形情報として出力される周波数３×ｆ1の振幅および位相の値に一致するように、正弦波発生部４１３から出力される周波数３×ｆ1の振幅および位相の値を設定する。
【０１１０】
そして、振幅位相設定部４２１〜４２３は、振幅および位相を調整した正弦波信号を合波部４３に出力する。
【０１１１】
合波部４３は、振幅位相設定部４２１〜４２３から出力された正弦波信号を合波し、マスク部４４に出力する。図９（ｆ）は、合波部４３が出力する信号の波形を示す図である。図９（ｆ）に示すように、合波部４３が出力する信号は、図９（ｂ）に示す受信信号に類似した波形が連続する信号となる。
【０１１２】
マスク部４４は、合波部４３から出力された信号におけるパルスのタイミングを調整し、テンプレート信号として相関部３２に出力する。具体的には、マスク部４４は、パルスが存在するタイミングを示すホッピングパターンと、合波部４３から出力された信号とに基づいてテンプレート信号を生成する。
【０１１３】
図９（ｇ）は、マスク部４４に入力されるホッピングパターンの波形を示す図である。このように、ホッピングパターンは、パルスが存在するタイミングで“１”となり、パルスが存在しないタイミングで“０”となる波形を有する。
【０１１４】
マスク部４４は、ホッピングパターンが“１”の場合、合波部４３から受け取った信号を通過させ、ホッピングパターンが“０”の場合、合波部４３から受け取った信号を通過させない。図９（ｈ）は、マスク部４４が出力するテンプレート信号の波形を示す図である。図９（ｈ）に示すように、マスク部から出力されるテンプレート信号は、ホッピングパターンと同じパターンを有する。マスク部４４は、生成したテンプレート信号を相関部３２に出力する。このようにして、受信信号の波形に近いテンプレート信号を得ることができる。
【０１１５】
以上のように、本実施形態によれば、パルス信号復調装置は、送信信号スペクトルのピーク周波数およびその整数倍成分のみを用いてテンプレート信号を発生させる。例えば、任意波形発生器を利用してテンプレート信号を発生させる場合、テンプレート信号に含まれる周波数成分の少なくとも数倍程度のサンプリング速度が必要となる。しかしながら、本実施形態によれば、テンプレート信号を発生させるために利用する周波数は、送信信号スペクトルのピーク周波数と、その整数倍の周波数成分のみであるため、任意波形発生器を利用する場合に比べ、比較的低速の部品を用いることができる。
【０１１６】
また、本実施形態によれば、テンプレート信号発生部が任意波形発生器からなる場合に比べ、テンプレート信号を発生させるために要する時間を短縮することができる。したがって、パルス幅が小さい送信信号を復調する場合、つまり、伝送速度を高速化させた場合において、本実施形態は特に有効である。
【０１１７】
なお、多元接続を行わず、送信装置とパルス信号復調装置とが１対１で接続される場合においては、受信信号を検出できさえすればよいため、合波部４３から出力される信号をそのままテンプレート信号として用いることができる。したがって、その場合には、パルス信号復調装置において、マスク部４４を省略することができる。
【０１１８】
また、本実施形態では、送信信号の波形のピーク周波数ｆ1と、その２倍および３倍の周波数とを用いる場合について示したが、何倍までの周波数成分を用いるかは、送信装置および伝送路の仕様に応じて適宜決定すればよい。
【０１１９】
（第４の実施形態）
図１０は、本発明の第４の実施形態に係るパルス信号復調装置３０が適用される光伝送システムの構成を示すブロック図である。図１０に示す光伝送システムは、送信装置１０ａと、パルス信号復調装置３０とを含む。送信装置１０ａとパルス信号復調装置３０とは、光伝送路２０を介して接続される。
【０１２０】
送信装置１０ａは、ＲＺ変調部１３と、電気光変換部１２とを含む。パルス信号復調装置３０は、光電気変換部３１と、相関部３２と、受信波形情報算出部３３と、テンプレート信号発生部３４とを含む。
【０１２１】
図１０に示す光伝送システムは、図１に示す光伝送システムと比較すると、送信パルス発生部１１の代わりに、ＲＺ（Ｒｅｔｕｒｎ  ｔｏ  Ｚｅｒｏ）信号を発生するＲＺ変調部１３が送信装置１０に含まれている点で相違する。それ以外の構成は第１の実施形態と同様であるため、図１と同様の構成には同一の符号を付し、説明を省略する。
【０１２２】
ＲＺ変調部１３は、送信データをＲＺ信号に変換し、送信信号として電気光変換部１２に出力する。
【０１２３】
受信波形情報算出部３３において、入力される送信波形情報は、ＲＺ変調部１３から出力されるＲＺ信号のパルス波形を示す情報である。
【０１２４】
相関部３２は、テンプレート信号発生部３４から出力されるテンプレート信号と、光電気変換部３１から出力される受信信号とに基づいて、ＲＺ信号を復調し、受信データとする。
【０１２５】
以上のように、本実施形態によれば、ＲＺ信号を光信号に変換して送信する際に、ＲＺ信号の波形に歪みが発生した場合においても、ＲＺ信号を正確に復調することができる。
【０１２６】
（第４の実施形態の変形例）
次に、第４の実施形態の変形例について説明する。図１１は、本変形例に係るパルス信号復調装置３０ｅが適用される光伝送システムの構成を示すブロック図である。図１１に示す光伝送システムは、送信装置１０ａと、パルス信号復調装置３０ｅとを含む。送信装置１０ａとパルス信号復調装置３０ｅとは、光伝送路２０を介して接続される。
【０１２７】
送信装置１０ａは、ＲＺ変調部１３と、電気光変換部１２とを含む。パルス信号復調装置３０ｅは、光電気変換部３１と、相関部３２と、受信波形情報算出部３３ｅと、テンプレート信号発生部３４ｅとを含む。テンプレート信号発生部３４ｅは、複数の正弦波発生部４１１〜４１３と、複数の振幅位相設定部４２１〜４２３と、合波部４３と、バイアス部４５とを有する。
【０１２８】
図１１に示す送信装置１０ａの構成は、図１０に示す送信装置１０ａの構成と同様であるため、説明を省略する。また、図１１に示すパルス信号復調装置３０ｅの構成は、図８に示す、第３の実施形態に係るパルス信号復調装置３０ｄの構成と比較すると、テンプレート信号発生部３４ｅが、マスク部４４の代わりにバイアス部４５を有する点で相違する。それ以外の構成は、第３の実施形態と同様であるため、図８に示す構成と同様の構成には同一の符号を付し、説明を省略する。また、本実施形態に係る受信波形情報算出部３３ｅは、図８に示す第３の実施形態に係る受信波形情報算出部３３ｄに相当する。なお、図１１に示す（ａ）〜（ｈ）は、後述する図１２（ａ）〜（ｈ）に示す信号が、矢印の方向に出力されることを示す。
【０１２９】
図１２は、図１１に示す光伝送システムの主要部から出力される信号の波形を示す図である。以下、図１１および図１２を参照しながら、各部の機能について説明する。
【０１３０】
図１２（ａ）は、ＲＺ変調部１３から出力される送信信号の波形を示す図である。図１２（ａ）に示すように、送信信号はＲＺ信号であり、パルスが存在する場合はデータ“１”、パルスが存在しない場合はデータ“０”がＲＺ変調部１３から出力される。
【０１３１】
図１２（ｂ）は、光電気変換部３１から出力される受信信号の波形である。図１２（ａ）に示す送信信号は、電気光変換部１２によって光信号に変換され、光伝送路２０を伝送する間に、図１２（ｂ）に示すような歪みが生じる。
【０１３２】
図１２（ｃ）は、第１の振幅位相設定部４２１が出力する信号の波形を示す図であり、図１２（ｄ）は、第２の振幅位相設定部４２２が出力する信号の波形を示す図である。図１２（ｅ）は、第３の振幅位相設定部４２３が出力する信号の波形を示す図である。正弦波発生部４１１〜４１３、振幅位相設定部４２１〜４２３、および合波部４３の機能は、第３の実施形態と同様であるため、説明を省略する。
【０１３３】
図１２（ｆ）は、合波部４３が出力する信号の波形を示す図である。合波部４３は、振幅位相設定部４２１〜４２３から出力された正弦波信号を合波し、バイアス部４５に出力する。図１２（ｆ）に示すように、合波部４３から出力される信号は、受信信号と類似した波形を有し、かつ平均レベルが“０”の信号となる。一方、受信信号はＲＺ信号であるため、最小値が“０”である。
【０１３４】
バイアス部４５は、合波部４３から出力される信号の最小値が“０”となるように、当該信号にバイアスを加算し、テンプレート信号として相関部３２に出力する。
【０１３５】
相関部３２は、バイアス部４５から出力されるテンプレート信号と、光電気変換部３１から出力される受信信号とに基づいて、相関値を求め、受信信号を復調する。
【０１３６】
このように、合波部４３から出力される信号の最小値が“０”となるように、バイアスを加算することによって、歪みが発生したＲＺ信号の受信信号波形を再現することができる。これをテンプレート信号として用いることにより、波形歪による相関値の劣化を抑え、受信性能を改善することができる。
【０１３７】
以上のように、本実施形態によれば、ＲＺ信号を光信号に変換して伝送する光伝送システムにおいて、パルス信号復調装置は、光信号に発生した歪みを反映させたテンプレート信号を生成することができる。したがって、ＲＺ信号を正確に復調することができる。
【０１３８】
また、第３および第４の実施形態では、受信波形情報算出部は、入力される送信波形情報および光伝送路の仕様に基づいて受信波形情報を生成していた。ここで、第１の実施形態と同様に、受信波形情報算出部が、光伝送路の仕様および送信波形情報を予め記憶していてもよく、また、光伝送路をモニタすることによって、光伝送路の仕様を取得してもよい。また、第１の実施形態の変形例と同様に、光伝送路の仕様が不明な場合、受信波形情報を変化させ、相関値が最大となるように光伝送路の仕様を決定してもよい。
【０１３９】
（第５の実施形態）
図１３は、本発明の第５の実施形態に係るパルス信号復調装置３０ｆが適用される光伝送システムの構成を示すブロック図である。図１３に示す光伝送システムは、送信装置１０と、パルス信号復調装置３０ｆとを含む。送信装置１０とパルス信号復調装置３０ｆとは、光伝送路２０を介して接続される。
【０１４０】
図１３において、本実施形態に係るパルス信号復調装置３０ｆは、光電気変換部３１と、相関部３２と、受信波形情報算出部３３ｆと、テンプレート信号発生部３４ｆとを含む。テンプレート信号発生部３４ｆは、正弦波発生部４１１〜４１３と、複数の振幅位相設定部４２１〜４２３と、合波部４３と、マスク部４４とを有する。
【０１４１】
本実施形態に係るパルス信号復調装置３０ｆは、図８に示す第３の実施形態に係るパルス信号復調装置３０ｄと比較すると、受信波形情報算出部３３ｆにおける受信波形情報の算出方法が異なる。それ以外の構成要素は、第３の実施形態と同様であるため、図８と同様の構成要素には同一の符号を付し、説明を省略する。また、送信パルス発生部１１、電気光変換部１２の機能も第３の実施形態と同様であるため、説明を省略する。
【０１４２】
本実施形態において、送信装置１０は、実際の送信データの伝送に先立ち、符号“１”に相当するテスト信号を光信号に変換して光伝送路２０に送出する。
【０１４３】
パルス信号復調装置３０ｆにおいて、光電気変換部３１によって変換された電気信号は分岐され、受信波形情報算出部３３ｆに入力される。
【０１４４】
受信波形情報算出部３３ｆは、光電気変換部３１から出力されるテスト用の受信信号に基づいて、受信波形情報を生成する。具体的には、受信波形情報算出部３３ｆは、テスト用の電気信号の波形から、送信信号スペクトルのピーク周波数ｆ1の成分と、その整数倍の周波数の成分とを抽出し、それらの振幅および位相をテンプレート信号発生部３４ｆの第１〜第３の振幅位相設定部４２１〜４２３に出力する。
【０１４５】
なお、テンプレート信号発生部３４ｆの動作は、第３の実施形態におけるテンプレート信号発生部３４ｄの動作と同様であるため、説明を省略する。
【０１４６】
以上のように、本実施形態によれば、パルス信号復調装置は、実際に受信した信号の波形に基づいて、テンプレート信号を生成する。これにより、受信波形に近い波形を有するテンプレート信号を簡易に生成することができる。また、例えば、複数の波形劣化要因によって信号の波形に歪みが生じる場合のように、光伝送路における波形劣化の算出に複雑な計算を要する場合に、本実施形態は特に有効である。
【０１４７】
なお、本実施形態では、受信信号のスペクトルのうち、受信信号のピーク周波数ｆ1 とその２倍および３倍周波数を用いる場合について説明した。ここで、第３の実施形態と同様に、ピーク周波数の何倍の周波数成分を用いるかは、送信装置および光伝送路の仕様に応じて、適宜決定すればよい。
【産業上の利用可能性】
【０１４８】
本発明は、パルス信号を光信号に変換して伝送する光伝送システムにおいて、パルス信号を正確に復調することができるパルス信号復調装置等として有用である。また、通信機器用の復調回路等としても有用である。
【図面の簡単な説明】
【０１４９】
【図１】本発明の第１の実施形態に係るパルス信号復調装置３０が適用される光伝送システムの構成を示すブロック図
【図２】図１に示す相関部３２の構成例を示すブロック図
【図３】受信波形情報の算出手順の具体例を示す図
【図４】第１の実施形態の変形例に係るパルス信号復調装置３０ａが適用される光伝送システムの構成を示すブロック図
【図５】図４に示す受信波形情報算出部３３ａの動作を示すフローチャート
【図６】本発明の第２の実施形態に係るパルス信号復調装置３０ｂが適用される光伝送システムの構成を示すブロック図
【図７】第２の実施形態の変形例に係るパルス信号復調装置３０ｃが適用される光伝送システムの構成を示すブロック図
【図８】本発明の第３の実施形態に係るパルス信号復調装置３０ｄが適用される光伝送システムの構成を示すブロック図
【図９】図８に示すパルス信号復調装置３０ｄの主要部から出力される信号の波形をシミュレーションにより求めた結果を示す図
【図１０】本発明の第４の実施形態に係るパルス信号復調装置３０が適用される光伝送システムの構成を示すブロック図
【図１１】第４の実施形態の変形例に係るパルス信号復調装置３０ｅが適用される光伝送システムの構成を示すブロック図
【図１２】図１１に示すパルス信号復調装置３０ｅの主要部から出力される信号の波形を示す図
【図１３】本発明の第５の実施形態に係るパルス信号復調装置３０ｆが適用される光伝送システムの構成を示すブロック図
【図１４】ウルトラワイドバンド通信方式に用いられる従来の復調装置の構成を示すブロック図
【図１５】図１４に示す従来の復調装置の主要部から出力される信号の波形および相関値を示す図
【符号の説明】
【０１５０】
１０  送信装置
１１  送信パルス発生部
１２  電気光変換部
１３  ＲＺ変調部
２０  光伝送路
３０、３００  パルス信号復調装置
３１  光電気変換部
３２、３２０  相関部
３３  受信波形情報算出部
３４、３４０  テンプレート信号発生部
３５  記憶部
３６  入力部
４１１、４２２、４２３  正弦波発生部
４２１、４２２、４２３  振幅位相設定部
４３  合波部
４４  マスク部
４５  バイアス部
５１  乗算部
５２  積分部
５３  識別部
３５０  同期部
【図１】
0004654188.tif 000005
【図２】
0004654188.tif 000006
【図３】
0004654188.tif 000007
【図４】
0004654188.tif 000008
【図５】
0004654188.tif 000009
【図６】
0004654188.tif 000010
【図７】
0004654188.tif 000011
【図８】
0004654188.tif 000012
【図９】
0004654188.tif 000013
【図１０】
0004654188.tif 000014
【図１１】
0004654188.tif 000015
【図１２】
0004654188.tif 000016
【図１３】
0004654188.tif 000017
【図１４】
0004654188.tif 000018
【図１５】
0004654188.tif 000019